(57)【要約】【課題】表示用スクリーンの中央部分に、複数のプロジェクタによる投影像の“つなぎ目”を配置させることなく、且つ規定の画像表示サイズフォーマットに対応した画像投影を行うことができる映像表示システムを提供すること。【解決手段】映像表示システムに、映像表示用のスクリーン１０３と、異なる画像表示サイズフォーマットを有する複数のプロジェクタ、例えばＱＸＧＡ型プロジェクタ１０１及びＸＧＡ型プロジェクタ１０２−１〜１０２−１２と、上記複数のプロジェクタにおける上記画像表示サイズフォーマット及び設置に基づいて、上記スクリーン１０３に表示する表示画像情報を分割及び制御して上記複数のプロジェクタに出力するコントローラ１０４と、を具備させる。【選択図】      図１
2007206356.tif 000002
【特許請求の範囲】
【請求項１】
複数の表示装置で表示する画像を組み合わせて１つの合成映像を構成する映像表示システムであって、
表示画素数を規定する画像表示サイズフォーマットが異なる複数の表示装置と、
上記複数の表示装置における上記画像表示サイズフォーマット、及び上記複数の表示装置の配置に応じて、上記表示装置に表示する表示画像情報を分割して上記複数の表示装置に出力するコントローラと、
を具備することを特徴とする映像表示システム。
【請求項２】
上記複数の表示装置は、
上記合成画像の中央部分に対応する画像を表示するための中央領域表示装置と、
上記中央領域表示装置と異なる画像表示サイズフォーマットを有する複数の周辺領域表示装置と、
を含むことを特徴とする請求項１に記載の映像表示システム。
【請求項３】
上記表示画像情報は、上記複数の表示装置のうちの何れかの表示装置の画像表示サイズフォーマットよりも画素数の多い画像表示サイズフォーマットによる映像の表示画像情報であることを特徴とする請求項１に記載の映像表示システム。
【請求項４】
上記中央領域表示装置で表示する画像の画像表示サイズフォーマットは、上記周辺領域表示装置で表示する画像の画像表示サイズフォーマットよりも画素数の多い画像表示サイズフォーマットであることを特徴とする請求項２に記載の映像表示システム。
【請求項５】
上記中央領域投影表示装置は、上記周辺領域表示装置よりも、解像度の高い画像を表示する表示装置であることを特徴とする請求項２に記載の映像表示システム。
【請求項６】
映像を表示する表示用スクリーンを備え、
上記表示装置は、上記表示用スクリーンに画像を投影するプロジェクタであることを特徴とする請求項１乃至請求項５のうちいずれか一つに記載の映像表示システム。
【請求項７】
上記複数のプロジェクタは、それぞれ担当する表示領域に応じて、正置状態または該正置状態から９０度だけ傾けられた状態に設置され、
上記コントローラは、上記設置の状態に基づいて、上記複数のプロジェクタがそれぞれ担当する表示領域毎に、上記表示画像情報の読み出し方向を制御することを特徴とする請求項６に記載の映像表示システム。
【請求項８】
上記コントローラは、上記表示装置で表示する画像の上記画像表示サイズフォーマットに応じて、上記表示装置が担当する表示領域における上記表示画像情報のサンプリングレートを調整することを特徴とする請求項１に記載の映像表示システム。
【請求項９】
上記複数のプロジェクタは、それぞれ上記表示用スクリーン上において担当する表示領域に合わせて、上記複数のプロジェクタの内の少なくとも一部が上記表示用スクリーン上にて投影像の一部が互いに重なるように設置され、
上記コントローラは、上記投影像の一部が互いに重なる表示領域に対応する表示画像情報の輝度を制御することを特徴とする請求項６に記載の映像表示システム。
【発明の詳細な説明】
【技術分野】
【０００１】
本発明は、映像表示システムに関し、特に高精細化技術を導入した映像表示システムに関する。
【背景技術】
【０００２】
現在、投影型ディスプレイを高精細化する技術としては、投影表示面であるスクリーン上にて、複数の投影像をタイル状に合成するマルチディスプレイが提案されている。このマルチディスプレイを実現する装置として、例えばマルチビジョン表示装置がある。そして、このマルチビジョン表示装置において、投影画面全体に渡る輝度を均一化する技術が、特許文献１に開示されている。
【０００３】
上記特許文献１に開示されている技術によれば、同一仕様のプロジェクタを複数用いて、それらプロジェクタによる投影像を表示用のスクリーン上にタイル状に投影する。このような構成により、上記プロジェクタにおける画像表示サイズフォーマットと相似形である高精細な映像を投影し、投影画面全体に渡る輝度を均一化できる。
【特許文献１】特開２００３−２８００９２号公報
【発明の開示】
【発明が解決しようとする課題】
【０００４】
しかしながら、上記特許文献１に開示されている技術では、各プロジェクタが同一の仕様であるため、各プロジェクタの配置に変化を設け難い。また、上記特許文献１に開示されている技術では、縦あるいは横方向に偶数個のプロジェクタを並べて用いることで、個々の投影像のつなぎ目が表示用のスクリーンの中心部に発生してしまう。そして、スクリーンの中心部は視覚的に最も注目される頻度の高い部分であることを鑑みると、鑑賞者にとって上記つなぎ目が非常に目立って見えてしまうという問題が生じる。このことは、クオリティの高い映像投影が要求されるほど、大きな問題となる。
【０００５】
本発明は、上記の事情に鑑みてなされたもので、複数の表示装置で表示する画像を組み合わせて一つの合成画像を表示する場合に、各プロジェクタの配置に変化を与えることのできる映像表示システムを提供することを目的とする。
【０００６】
また、表示用スクリーンの中心部に、複数のプロジェクタによる投影像の“つなぎ目”を配置させることなく、且つ規定の画像表示サイズフォーマットに対応した画像投影を行うことができる映像表示システムを提供することを目的とする。
【課題を解決するための手段】
【０００７】
上記の目的を達成するために、本発明の第１の態様による映像表示システムは、複数の表示装置で表示する画像を組み合わせて１つの合成映像を構成する映像表示システムであって、表示画素数を規定する画像表示サイズフォーマットが異なる複数の表示装置と、上記複数の表示装置における上記画像表示サイズフォーマット、及び上記複数の表示装置の配置に応じて、上記表示装置に表示する表示画像情報を分割して上記複数の表示装置に出力するコントローラと、を具備することを特徴とする。
【０００８】
上記の目的を達成するために、本発明の第２の態様による映像表示システムは、上記第１の態様に係る映像表示システムであって、上記複数の表示装置は、上記合成画像の中央部分に対応する画像を表示するための中央領域表示装置と、上記中央領域表示装置と異なる画像表示サイズフォーマットを有する複数の周辺領域表示装置と、を含むことを特徴とする。
【発明の効果】
【０００９】
本発明によれば、表示画素数を規定する画像表示サイズフォーマットが異なる複数の表示装置を用いているため、複数の表示装置で表示する画像を組み合わせて一つの合成画像を表示する場合でも、画像の領域に応じて画像表示サイズフォーマットの異なる表示装置を配置することができる。このため、例えば、合成画像のうち重要な領域に対して用いる表示装置と、重要でない領域に対して用いる表示装置を異ならせることができる。
【００１０】
また、表示用スクリーンの中心部に、複数のプロジェクタによる投影像の“つなぎ目”を配置させることなく、且つ規定の画像表示サイズフォーマットに対応した画像投影を行うことができる映像表示システムを提供することができる。
【発明を実施するための最良の形態】
【００１１】
本発明の実施形態を詳細に説明する前に、本発明の理解を助けるために、まず、本実施形態に係る映像表示システムで用いられるプロジェクタの種類について説明する。
【００１２】
まず、用いられるプロジェクタとしては、解像度による分類にて、ＸＧＡ（ｅＸｔｅｎｎｄｅｄ  Ｇｒａｐｈｉｃｓ  Ａｒｒａｙ）型プロジェクタ、ＱＸＧＡ（Ｑｕａｄ  ＸＧＡ）型プロジェクタ、ＳＸＧＡ（Ｓｕｐｅｒ  ＸＧＡ）型プロジェクタ、及び高精細テレヴィジョンに対応したＨＤＴＶ（Ｈｉｇｈ  Ｄｅｆｉｎｉｔｉｏｎ  ＴｅｌｅＶｉｓｉｏｎ）型プロジェクタ、の４種類である。
【００１３】
ここで、上記の各プロジェクタにおける画像表示サイズフォーマットは、以下の通りである。すなわち、上記ＸＧＡ型プロジェクタは、１，０２４×７６８画素の投影像サイズであるプロジェクタであり、上記ＱＸＧＡ型プロジェクタは、２，０４８×１，５３６画素の投影像サイズであるプロジェクタであり、上記ＳＸＧＡ型プロジェクタは、１，２８０×１，０２４画素の投影像サイズであるプロジェクタであり、上記ＨＤＴＶ型プロジェクタは、例えば１，２８０×７２０画素の投影像サイズであるプロジェクタであるとする。
【００１４】
以下、図面を参照して本発明の実施形態を説明する。  
[第１実施形態]
図１は、本発明の第１実施形態に係る映像表示システムの構成を示した図である。本発明の第１実施形態に係る映像表示システムでは、１台の上記ＱＸＧＡ型プロジェクタ、１２台の上記ＸＧＡ型プロジェクタを用いる。
【００１５】
以下、同図を参照して第１実施形態に係る映像表示システムの構成を説明する。
【００１６】
まず、表示用のスクリーン１０３に対して映像投影を行うプロジェクタとして、図１に示すように、１台のＱＸＧＡ型プロジェクタ１０１を中心にして、その周囲を囲むように１２台のＸＧＡ型プロジェクタ１０２−１〜１０２−１２が配置される。なお、同図において、スクリーン１０３上にて投影像表示１０１ａとして示されている領域は、上記ＱＸＧＡ型プロジェクタ１０１による投影像の表示が為される領域である。同様に、スクリーン１０３上にて投影像表示１０２ａ−１〜１０２ａ−１２として示されている領域は、それぞれ上記ＸＧＡ型プロジェクタ１０２−１〜１０２−１２による投影像の表示が為される領域である。
【００１７】
ここで、上記の各プロジェクタ１０１，１０２−１〜１０２−１２は、コントローラ１０４により制御される。なお、上記コントローラ１０４と上記の各プロジェクタとが結線されていることは勿論であるが、結線自体に本発明の要旨が有るわけではなく、また図１の煩雑化を避ける為に結線の図示は省略する。
【００１８】
以下、本実施形態に係る映像表示システムの動作制御について説明する。
【００１９】
ここで、上記の各プロジェクタは、何れも現在最も広く普及している４：３型映像投影を行うプロジェクタである。そして、上記スクリーン１０３に投影表示させる映像の表示画像情報の分割、及び分割された表示画像情報を上記の各プロジェクタに投影表示させる制御は、上記コントローラ１０４によって行われる。
【００２０】
上述した制御により、上記の各プロジェクタによる投影像を、図１に示される投影分布のように、上記スクリーン１０３上で、解像度の等しい投影像として合成することができる。これにより、本実施形態では、同図に示すように、４，０９６×３，０７２画素サイズ相当の４：３型映像投影となる。
【００２１】
以上説明したように、本第１実施形態によれば、スクリーン１０３の中央部分に、上記の各プロジェクタによる投影像の“つなぎ目”を設置させることなく、且つ規定の画像表示サイズフォーマットに対応した画像投影を行うことができる映像表示システムを提供することができる。
【００２２】
具体的には、上記スクリーン１０３上において最も視覚的に注目される部分である中央部分が、ＱＸＧＡ型プロジェクタ１０１による投影像である投影像表示１０１ａで構成されるため、当該中央部分における投影像の“つなぎ目”の問題は解決し、且つその他の部分についても上述したような構成を採ることで、スクリーン１０３上における合成後の投影像も、４：３という規定の画像表示サイズフォーマットに対応した高精細映像の表示が実現した。
【００２３】
なお、本実施形態の映像表示システムでは、スクリーン１０３を備え、表示装置としてのプロジェクタ１０１，１０２−１〜１０２−１２を用いていたが、これらの代わりに、表示装置として、表示画素数を規定する画像表示サイズフォーマットが異なるブラウン管型の表示装置、液晶型の表示装置、プラズマ型の表示装置等を用いることもできる。また、スクリーン１０３は、１枚で構成されてもいいし、小型のスクリーンを複数毎組み合わせて構成されたものでもよい。
【００２４】
[第２実施形態]
次に、本発明の第２実施形態に係る映像表示システムについて説明する。
【００２５】
図２は、本発明の第２実施形態に係る映像表示システムの構成を示した図である。本第２実施形態に係る映像表示システムでは、表示装置として３台の上記ＱＸＧＡ型プロジェクタ、８台のＸＧＡ型プロジェクタを用いる。
【００２６】
以下、同図を参照して第１実施形態に係る映像表示システムの構成を説明する。
【００２７】
まず、スクリーン２０３において映像投影を行う領域のうちの中央領域を含む領域に対して映像投影を行うプロジェクタとして、図２に示すように、水平方向に３台のＱＸＧＡ型プロジェクタ２０１−１〜２０１−３が縦型（ＱＸＧＡ型プロジェクタ２０１−１〜２０１−３による投影像の長手方向が、スクリーン２０３における投影面の長手方向に対して垂直となるよう）に設置される。
【００２８】
そして、ＱＸＧＡ型プロジェクタ２０１−１〜２０１−３の上方には、４台のＸＧＡ型プロジェクタ２０２−１〜２０２−４が通常通り（正置）に設置される。同様に、ＱＸＧＡ型プロジェクタ２０１−１〜２０１−３の下方には、４台のＸＧＡ型プロジェクタ２０２−５〜２０２−８が通常通り（正置）に設置される。
【００２９】
なお、同図において、スクリーン２０３上にて投影像表示２０１ａ−１〜２０１ａ―３として示されている領域は、上記ＱＸＧＡ型プロジェクタ２０１−１〜２０１−３による投影像の表示が為される領域である。同様に、スクリーン２０３上にて投影像表示２０２ａ−１〜２０２ａ−８として示されている領域は、それぞれ上記ＸＧＡ型プロジェクタ２０２−１〜２０２−８による投影像の表示が為される領域である。
【００３０】
そして、同図において、スクリーン２０３上にて右上がり斜線のハッチングで示されているオーバーラップ表示領域２００ａは、上記ＱＸＧＡ型プロジェクタ２０１−１〜２０１−３の何れかによる投影像と、上記ＸＧＡ型プロジェクタ２０２−１〜２０２−８の何れかによる投影像とが重ね合わされている表示領域である。また、スクリーン２０３上にて右上がり斜線と左上がり斜線とによる格子状のハッチングで示されているオーバーラップ表示領域２００ｂは、上記ＱＸＧＡ型プロジェクタ２０１−１〜２０１−３の何れか同士による投影像が重ね合わされている表示領域である。さらに、スクリーン２０３上にて右上がりの太い斜線のハッチングで示されているオーバーラップ表示領域２００ｃは、上記ＱＸＧＡ型プロジェクタ２０１−１〜２０１−３の何れか同士による投影像の重複部分と、上記ＸＧＡ型プロジェクタ２０２−１〜２０２−８の何れかによる投影像とが重ね合わされている表示領域である。
【００３１】
ここで、上記の各プロジェクタは、上述のように投影像の一部が互いに重なるように設置され、上記の各プロジェクタは、コントローラ２０４により制御される。なお、上記コントローラ２０４と上記の各プロジェクタとが結線されていることは勿論であるが、結線自体に本発明の要旨が有るわけではなく、また図２の煩雑化を避ける為に結線の図示は省略した。
【００３２】
以下、本実施形態に係る映像表示システムの動作制御について説明する。
【００３３】
上記の各プロジェクタは何れも、現在最も広く普及している４：３型投影像の映像投影を行うプロジェクタである。そして、上記スクリーン２０３に投影表示させる映像の表示画像情報の分割、及び分割された表示画像情報を上記の各プロジェクタに投影表示させる制御は、上記コントローラ２０４によって行われる。そして、上記の各プロジェクタ２０１−１〜２０１−３，２０２−１〜２０２−８による投影像は、図２に示される投影分布のように、スクリーン２０３上で合成される。このように投影像を合成することで、上記スクリーン２０３上には、４，０９６×３，０７２画素サイズ相当の４：３型映像投影となる。
【００３４】
ここでは更に、スクリーン２０３の投影像における上記オーバーラップ領域２００ａ〜２００ｃと、上記オーバーラップ領域２００ａ〜２００ｃに対する隣接領域とが、それぞれ視覚的に滑らかに繋げて表示されるよう、上記オーバーラップ領域２００ａ〜２００ｃにおける投影像の投影を担っている各プロジェクタによる投影像が合成された映像（合成映像）の合成輝度が、それぞれ対応する隣接領域における単一のプロジェクタによる映像と同等な輝度となるよう、上記コントローラ２０４により、上述のように分割された映像の表示画像情報である分割映像信号が制御される。
【００３５】
なお、上述のように縦型に配置されたＱＸＧＡ型プロジェクタ２０１−１〜２０１−３については、スクリーン２０３に画像投影を行う際には当然、その走査方向が変換制御されなければ画像投影上不都合が生じる。そこで本実施形態においては、スクリーン２０３に表示される表示画像情報のうち、縦型に配置されたＱＸＧＡ型プロジェクタ２０１−１〜２０１−３が担当する表示領域の表示画像情報については、コントローラ２０４により、その読み出し方向が９０度回転させられる制御が為されることで、スクリーン２０３に対しては当該プロジェクタの正置時における走査方向と同様の走査方向となり、画像投影上の不都合は生じない。
【００３６】
以上説明したように、本第２実施形態によれば、スクリーン２０３の中央部分に、上記の複数のプロジェクタによる投影像の“つなぎ目”を配置させることなく、且つ規定の画像表示サイズフォーマットに対応した画像投影を行うことができる映像表示システムを提供することができる。
【００３７】
具体的には、上記スクリーン２０３上において最も視覚的に注目される部分である中央部分が、ＱＸＧＡ型プロジェクタ２０１−１〜２０１−３による投影像である投影像表示２０１ａ−２で構成されるため、当該中央部分における投影像の“つなぎ目”の問題は解決し、さらにその他の部分についても上述したような構成を採ることで、スクリーン２０３上における合成映像も４：３という規定の画像表示サイズフォーマットに対応した高精細映像の表示を実現した。
【００３８】
加えて、本実施形態においては、上記オーバーラップ領域を形成することで、投影像間の“つなぎ目”が、鑑賞者にとってより違和感のない表示となった。
【００３９】
［第３実施形態］
次に、本発明の第３実施形態に係る映像表示システムについて説明する。
【００４０】
図３は、本発明の第３実施形態に係る映像表示システムによる投影像の構成を示した図である。本第３実施形態に係る映像表示システムでは、表示装置として１台の上記ＨＤＴＶ型プロジェクタ（不図示）、１０台のＸＧＡ型プロジェクタ（不図示）を用いる。ここで、上記ＨＤＴＶ型プロジェクタ（不図示）は、１６：９型投影像の映像投影を行うプロジェクタであり、上記ＸＧＡ型プロジェクタ（不図示）は、４：３型投影像の映像投影を行うプロジェクタである。なお、各々のプロジェクタ及びコントローラの配置構成は、図３に示す投影像及び図１，２から容易に推測可能であるので、ここではそれらの配置構成は図示を省略する。
【００４１】
以下、本実施形態に係る映像表示システムによる合成映像の構成を説明する。
【００４２】
図３において、スクリーン３０３上にて投影像表示３０４ａとして示されている領域は、上記ＨＤＴＶ型プロジェクタ（不図示）による投影像の表示が為される領域である。同様に、スクリーン３０３上にて投影像表示３０２ａ−１〜３０２ａ−１０として示されている領域は、１０台の上記ＸＧＡ型プロジェクタ（不図示）によるそれぞれの投影像の表示が為される領域である。
【００４３】
そして、同図においてスクリーン３０３上にて右下がり斜線と右下がり破線状斜線とを組み合わせたハッチングで示されているオーバーラップ表示領域３００ａは、上記ＨＤＴＶ型プロジェクタ（不図示）による投影像と、１０台の上記ＸＧＡ型プロジェクタ（不図示）の何れかによる投影像とが重ね合わせられた表示が為されている領域である。
【００４４】
ここで、上記の各プロジェクタの内の一部、すなわち、４台のＸＧＡ型プロジェクタと１台のＨＤＴＶ型のプロジェクタは、上述のように投影像の一部が互いに重なるように設置され、上記の各プロジェクタ（不図示）は、コントローラ（不図示）により制御され、映像投影を行う。映像投影面であるスクリーン３０３では、ＨＤＴＶ型プロジェクタ（不図示）による投影像と、その周囲に配置された１０台のＸＧＡ型プロジェクタ（不図示）による投影像とが、上記の各プロジェクタ（不図示）の配置位置に対応して合成される。
【００４５】
以下、本実施形態に係る映像表示システムの動作制御について説明する。
【００４６】
上記スクリーン３０３に投影表示させる映像の表示画像情報は、上記コントローラ（不図示）により分割され、さらに分割された表示画像情報である分割映像信号は、上記の各プロジェクタに出力されて投影表示される。そして、上記の各プロジェクタ（不図示）による投影像は、図３に示されている投影分布のように、上記スクリーン３０３上で合成される。
【００４７】
この合成の際には、上記コントローラ（不図示）により、上記第２実施形態と同様に、上記オーバーラップ領域３００ａとその隣接領域とが、鑑賞者からみて不自然さがなく視覚的に滑らかに繋がるように表示されるよう、分割映像信号が制御される。
【００４８】
言い換えれば、上記オーバーラップ領域３００ａにおける合成輝度が、上記オーバーラップ領域の隣接領域における単一のプロジェクタによる投影像における輝度と同等な輝度となるよう、上記コントローラ（不図示）により分割映像信号が制御される。このようにして投影像を合成することで、上記スクリーン３０３上には、４，０９６×２，３０４画素サイズ相当の１６：９型投影像の映像投影である規定の画像表示サイズフォーマットによる高精細映像の表示を実現した。
【００４９】
なお、本実施形態では上述したように、スクリーン３０３における表示領域のうち中央部分を含む中央表示領域は、入力信号としてＨＤＴＶ対応（ハイビジョン映像を投影可能）であり、１２８０×７２０画素サイズすなわち縦横比が１６：９のプロジェクタである
ＨＤＴＶ型プロジェクタ（不図示）が担当する。
【００５０】
ここで、上記中央表示領域の大きさは、その周辺領域の映像投影を担当するプロジェクタであるＸＧＡ型プロジェクタ（不図示）を横に二台正置した時における投影像の表示領域の大きさに相当する。すなわち、ＨＤＴＶ型プロジェクタ（不図示）は２０４８×７６８画素に相当する表示領域に対して、図３に示すように一部上記のＸＧＡ型プロジェクタ（不図示）による投影像と重複させながら映像投影することになる。
【００５１】
したがって、水平方向においては２０４８画素分の画像情報を、１２８０画素にて表示する為に、当該中央表示領域における表示画像情報のサンプリングレートを１２８０／２０４８に変更しなくてはならない。そして、垂直方向のサンプリングレートも同様にして適当に変更される必要がある。
【００５２】
例えば、１２８０×７２０画素サイズのＨＤＴＶ型プロジェクタ（不図示）が、１２８０／Ｘのサンプリングレート変更機能を備えている場合（Ｘは、例えば１９２０）には、上記コントローラ（不図示）がＸ／２０４８のサンプリングレート変更を行う。そして、上記コントローラでＸ／２０４８にサンプリングレート変更した画像情報が上記ＨＤＴＶ型プロジェクタに入力され、当該ＨＤＴＶ型プロジェクタ内にて１２８０／Ｘのサンプリングレート変更を行う。このように、上記コントローラとＨＤＴＶ型プロジェクタの両方でサンプリングレート変更を行い、中央表示領域における表示画像情報の１２８０／２０４８のサンプリングレート変更を行う。
【００５３】
また、１２８０×７２０画素サイズのＨＤＴＶ型プロジェクタ（不図示）が、適当なサンプリングレート変更機能を備えていない場合には、コントローラが１２８０／２０４８のサンプリングレート変更を行う。そして、上記コントローラで１２８０／２０４８にサンプリングレート変更した画像情報が上記ＨＤＴＶ型プロジェクタに入力されることで、中央表示領域における表示画像情報の１２８０／２０４８のサンプリングレート変更を行う。
【００５４】
また、上記ＨＤＴＶ型プロジェクタのスクリーン３０３への投影像の表示領域が、水平方向において上述した上記ＸＧＡ型プロジェクタ二台分の表示領域と一致するように、上記ＨＤＴＶ型プロジェクタの投影倍率は、上記コントローラにより制御される。
【００５５】
なお、ここではＨＤＴＶ型プロジェクタとして、例えば１２８０×１０８０画素サイズ、あるいは１９２０×１０８０画素サイズであるＨＤＴＶ対応（ハイビジョン映像を投影可能）のプロジェクタを用いても勿論良い。
【００５６】
そのような場合、例えば１９２０×１０８０画素サイズのＨＤＴＶフル対応のプロジェクタを用いる場合、表示画像情報の該当表示領域のサンプリングレートの変更は１９２０／２０４８のみ行えばよく、中央表示領域における解像度の劣化がほとんど無い高精細な画像を表示させることができる。
【００５７】
以下、本実施形態において、上述したような合成後の投影像表示が、上記の各々のプロジェクタ（不図示）の解像度の相違等に起因する視覚上の不都合を克服した投影像表示となる為の制御について説明する。
【００５８】
まず、例えばＨＤＴＶ型プロジェクタによる投影像とＸＧＡ型プロジェクタによる投影像とが重なり合うオーバーラップ表示領域３００ａにおいては、その解像度が、例えば周辺側から徐々に解像度を変化させて中央部分の解像度へ滑らかにつながるように上記コントローラ（不図示）により制御される。
【００５９】
また、例えば単純に上記の各々のオーバーラップ領域の明るさを、各々のプロジェクタによる投影像の周辺側に向かって徐々に減光させるよう、各々のプロジェクタに映像投影をさせることで、合成後の投影像における解像度の変化を目立たなくさせる方法が挙げられる。
【００６０】
さらに、例えば上記の各々のオーバーラップ領域について、中央表示領域から離れるに従い解像度を変化させていき、最終的にはＨＤＴＶ型プロジェクタの解像度に一致する解像度で表示されるような制御をコントローラに行わせても勿論良い。
【００６１】
以上説明したように、本第３実施形態によれば、スクリーン３０３の中央部付近に、上記の複数のプロジェクタによる投影像の“つなぎ目”を配置させることなく、且つ規定の画像表示サイズフォーマットに対応した画像投影を行うことができる映像表示システムを提供することができる。
【００６２】
具体的には、上記スクリーン３０３上において最も視覚的に注目される部分である中央部分が、ＨＤＴＶ型プロジェクタによる投影像のみで構成されるため、当該中心部分における投影像の“つなぎ目”の問題は解決し、さらにその他の部分についても上述したような構成を採ることで、スクリーン３０３上における合成後の投影像には、ワイド映像として普及しつつある１６：９型投影像の映像投影である規定の画像表示サイズフォーマットの表示形態を採らせることを実現した。
【００６３】
加えて、上述のようなオーバーラップ領域を形成することで、投影像間の“つなぎ目”が、鑑賞者にとってより違和感のない表示となった。
【００６４】
［第４実施形態］
次に、本発明の第４実施形態に係る映像表示システムについて説明する。
【００６５】
図４は、本発明の第４実施形態に係る映像表示システムによる投影像の構成を示した図である。本第４実施形態に係る映像表示システムでは、表示装置として１台の上記ＳＸＧＡ型プロジェクタ、４台の上記ＸＧＡ型プロジェクタ、及び４台の上記ＨＤＴＶ型プロジェクタを用いられる。なお、上記の各プロジェクタ及びコントローラの配置構成は、図４に示す投影像及び図１〜３から容易に推測可能であるので、ここではそれら配置構成の図示は省略する。
【００６６】
以下、同図を参照して第４実施形態に係る映像表示システムによる投影像の構成を説明する。
【００６７】
まず、映像投影面であるスクリーン４０３に対して映像投影を行うプロジェクタとして、図４に示す合成映像となるように、ＳＸＧＡ型プロジェクタ（不図示）を中心として、その水平方向における両脇には２台づつ計４台のＸＧＡ型プロジェクタ（不図示）が縦置きに設置される。さらに、上記の５台の各プロジェクタの上下には、２台づつ計４台のＨＤＴＶ型プロジェクタ（不図示）が配置される。そして、上記の各プロジェクタは、投影像の一部が互いに重なるように設置され、コントローラ（不図示）により制御される。
【００６８】
なお、同図において、スクリーン４０３上にて投影像表示４０４ａ−１〜４０４ａ−４として示されている領域は、上記ＨＤＴＶ型プロジェクタ（不図示）による投影像の表示領域である。同様に、スクリーン４０３上にて投影像表示４０２ａ−１〜４０２ａ−４として示されている領域は、４台の上記ＸＧＡ型プロジェクタ（不図示）によるそれぞれの投影像の表示領域である。さらに、スクリーン４０３上にて投影像表示４０５ａとして示されている領域は、上記ＳＸＧＡ型プロジェクタ（不図示）による投影像の表示領域である。
【００６９】
ここで、本実施形態においてスクリーン４０３上に表示されるオーバーラップ表示領域は以下の６種類ある。
【００７０】
第１に、スクリーン４０３上にて右下がり斜線と右下がり破線状斜線との組み合わせのハッチングで示されているオーバーラップ表示領域４００ａは、上記ＨＤＴＶ型プロジェクタ（不図示）による投影像と、４台の上記ＸＧＡ型プロジェクタ（不図示）の何れかによる投影像とが重ね合わされている表示領域である。
【００７１】
第２に、スクリーン４０３上にて右下がり斜線と右下がりの太い斜線との組み合わせのハッチングで示されているオーバーラップ表示領域４００ｂは、４台の上記ＨＤＴＶ型プロジェクタ（不図示）のいずれかによる投影像と、上記ＳＸＧＡ型プロジェクタ（不図示）による投影像とが重ね合わされている表示領域である。
【００７２】
第３に、スクリーン４０３上にて右下がりの太い斜線のハッチングで示されているオーバーラップ表示領域４００ｃは、４台の上記ＸＧＡ型プロジェクタ（不図示）のいずれかによる投影像と、上記ＳＸＧＡ型プロジェクタ（不図示）による投影像とが重ね合わされている表示領域である。
【００７３】
第４に、スクリーン４０３上にて右下がり斜線のハッチングで示されているオーバーラップ表示領域４００ｄは、４台の上記ＸＧＡ型プロジェクタ（不図示）のいずれかによる投影像同士が重ね合わされている表示領域である。
【００７４】
第５に、スクリーン４０３上にて複数のドットのハッチングで示されているオーバーラップ表示領域４００ｅは、４台の上記ＸＧＡ型プロジェクタ（不図示）のいずれかによる投影像同士の重複領域と、上記ＨＤＴＶ型プロジェクタ（不図示）の何れかによる投影像とが重ね合わされている表示領域である。
【００７５】
第６に、スクリーン４０３上にて右上がり斜線のハッチングで示されているオーバーラップ表示領域４００ｆは、４台の上記ＸＧＡ型プロジェクタ（不図示）のいずれかによる投影像と、上記ＨＤＴＶ型プロジェクタ（不図示）の何れかによる投影像と、上記ＳＸＧＡ型プロジェクタ（不図示）による投影像とが重ね合わされているオーバーラップ表示領域である。
【００７６】
以下、本実施形態に係る映像表示システムの動作制御について説明する。
【００７７】
上記スクリーン４０３に投影表示させる映像の表示画像情報の分割、及び分割された表示画像情報を上記の各プロジェクタに投影表示させる制御は、上記コントローラ（不図示）によって行われる。
【００７８】
そして、上記の各プロジェクタによる投影像は、図４に示される投影分布のように、上記スクリーン４０３上で、上記の各プロジェクタによる投影像が、スクリーン４０３上で合成される。以下、スクリーン４０３に表示される上記投影像について説明する。
【００７９】
上記ＳＸＧＡ型プロジェクタによる投影像と、上記ＸＧＡ型プロジェクタ及び上記ＸＧＡ型プロジェクタによる投影像と、上記ＨＤＴＶ型プロジェクタによる投影像とは、上述したように、互いの一部において重なり合うオーバーラップ領域を形成する。本第４実施形態では、上述のように投影像を合成することで、上記スクリーン４０３上には、合成後の投影像の中央部付近の解像度が高く且つ４：３型投影像を表示させることができる。
【００８０】
また、スクリーン４０３の投影像における上記オーバーラップ領域の映像と、上記オーバーラップ領域の隣接領域との映像とが、視覚的に滑らかにつながって表示されるよう、上記オーバーラップ領域における各プロジェクタの合成輝度が、上記隣接領域における単一のプロジェクタによる投影像の輝度と同等な輝度となるよう、上記コントローラ（不図示）により分割映像信号が制御される。
【００８１】
なお、合成映像の中心を含んで水平方向に並ぶＳＸＧＡ型プロジェクタ，ＸＧＡ型プロジェクタ、及びそれらの上下に配置されたＨＤＴＶ型プロジェクタによる投影像は、それぞれ上記コントローラ（不図示）によりスクリーン４０３上での画素サイズ等を制御され、前者（ＳＸＧＡ型プロジェクタ及びＸＧＡ型プロジェクタによる投影像）がより高解像となるよう設定及び制御される。すなわち、上記コントローラ（不図示）により、上記スクリーン４０３上の投影像の解像度、及び上記オーバーラップ領域の輝度等の制御が加えられた分割映像信号が、上記の各プロジェクタに送られる。
【００８２】
以上説明したように、本第４実施形態によれば、スクリーン４０３の中央部付近に、上記の複数のプロジェクタによる複数の投影像における“つなぎ目”を配置させることなく、且つ規定の画像表示サイズフォーマットに対応した画像投影を行うことができる映像表示システムを提供することができる。
【００８３】
具体的には、上記スクリーン４０３上に表示される投影映像は、上述した映像表示システムによる投影により、最も視覚的に注目される部分である投影映像の中央部分の解像度が相対的に高められ、その周辺領域の解像度が相対的に低くなるような表示となる。このような表示により、重要な要素が表示され得る可能性が高い投影映像の中央部分がより鮮明に表示される為、鑑賞者にとって好ましい映像投影となる。
【００８４】
さらに、上記オーバーラップ領域を形成することで、投影像間の“つなぎ目”が、鑑賞者にとってより違和感のない表示となった。
【００８５】
なお、以上説明した第１実施形態乃至第４実施形態に共通の事項としては、複数用意されたプロジェクタのそれぞれの設置角度状態（縦置きまたは横置き等の設置角度状態）は、表示用スクリーン上において担当する表示領域等に応じてユーザー等により設置された設置角度状態であり、該設置角度状態に基づいて、コントローラにより、上記の複数のプロジェクタがそれぞれ上記表示用スクリーン上において担当する表示領域毎に、上記表示画像情報の読み出し方向が制御されることは勿論である。
【００８６】
以上、第１実施形態乃至第４実施形態に基づいて本発明を説明したが、本発明は上述した実施形態に限定されるものではなく、本発明の要旨の範囲内で種々の変形及び応用が可能なことは勿論である。
【００８７】
例えば、上記の各実施形態に係る映像表示システムにおいて、複数用意されたプロジェクタの各々の画像表示サイズフォーマットに基づいて、各々のプロジェクタがスクリーンにおいてそれぞれ担当する表示領域の決定、及び該表示領域のサンプリングレートの決定、をコントローラに行わせる構成としても勿論良い。なお、コントローラに行わせずに、ユーザーがそれらを決定してコントローラに指示を与える構成としても勿論よい。
【００８８】
さらに、複数用意されたプロジェクタが各々スクリーン上において担当する表示領域毎の表示画像情報の読み出し方向、及び上記の複数のプロジェクタによる投影像が重なる割合である重複率の調整も、コントローラに行わせても良いし、またはユーザーが決定してコントローラに指示を与える構成としても勿論よい。
【００８９】
なお、上述した各実施形態には種々の段階の発明が含まれており、開示される複数の構成要件の適当な組み合わせにより種々の発明が抽出され得る。例えば、実施形態に示される全構成要件からいくつかの構成要件が削除されても、発明が解決しようとする課題の欄で述べた課題が解決でき、発明の効果の欄で述べられている効果が得られる場合には、この構成要件が削除された構成も発明として抽出され得る。
【００９０】
（付記）
上記の具体的実施形態から、以下のような構成の発明を抽出することができる。
【００９１】
（１）  複数のプロジェクタによる投影像を表示用スクリーン上で組み合わせて、１つの合成映像を表示する投影型マルチディスプレイ装置において、
上記複数のプロジェクタは、上記合成映像の中心と投影像の中心とが略一致するように映像投影を行う第１のプロジェクタを含むことを特徴とする投影型マルチディスプレイ装置。
【００９２】
（対応する実施形態）
この（１）に記載の投影型マルチディスプレイ装置に関する実施形態は、上記第１実施形態乃至上記第４実施形態が対応する。それらの実施形態において、上記第１のプロジェクタは例えば、上記第１実施形態においてはＱＸＧＡ型プロジェクタ１０１、上記第２実施形態においてはＱＸＧＡ型プロジェクタ２０１−２、上記第３実施形態においてはＨＤＴＶ型プロジェクタ（不図示）、上記第４実施形態においてはＳＸＧＡ型プロジェクタ（不図示）が対応する。
【００９３】
（作用効果）
この（１）に記載の投影型マルチディスプレイ装置によれば、第１のプロジェクタによる投影像の中心は、上記合成映像における中心と略一致するよう構成されているので、複数のプロジェクタによる投影像のつなぎ目が、表示用スクリーンの中心及び中央部に配置されない。したがって、上記つなぎ目が、視覚的に目立たなくなる投影型マルチディスプレイ装置を提供することができる。
【００９４】
（２）  上記複数のプロジェクタが投影する投影像は、規定の画像表示サイズフォーマットに基づく投影像であり、
上記合成映像は、規定の画像表示サイズフォーマットに対応した映像であることを特徴とする（１）に記載の投影型マルチディスプレイ装置。
【００９５】
（対応する実施形態）
この（２）に記載の投影型マルチディスプレイ装置に関する実施形態は、上記第１実施形態乃至上記第４実施形態が対応する。
【００９６】
（作用効果）
この（２）に記載の投影型マルチディスプレイ装置によれば、当該投影型マルチディスプレイ装置を、現在広く普及している汎用のプロジェクタにより構成することができるので、比較的簡便なシステム構成が可能で、且つ合成映像も汎用の画像表示サイズフォーマットに準拠させることができるので、広範囲な映像ソースに対応可能な投影型マルチディスプレイ装置を提供することができる。
【００９７】
（３）  上記複数のプロジェクタが投影する投影像における規定の画像表示サイズフォーマットは４：３であり、
上記合成映像における規定の画像表示サイズフォーマットも４：３であることを特徴とする（１）に記載の投影型マルチディスプレイ装置。
【００９８】
（対応する実施形態）
この（３）に記載の投影型マルチディスプレイ装置に関する実施形態は、上記第１実施形態及び上記第２実施形態が対応する。それらの実施形態において、上記複数のプロジェクタはＱＸＧＡ型プロジェクタ及びＸＧＡ型プロジェクタが対応する。
【００９９】
（作用効果）
この（３）に記載の投影型マルチディスプレイ装置によれば、現在最も広く普及している、画像表示サイズフォーマットが４：３のプロジェクタにて当該投影型マルチディスプレイ装置を構成することができるので、比較的簡便なシステム構成が可能であり、且つ合成映像も４：３の画像表示サイズフォーマットに準拠している為、広範囲な映像ソースに対応可能な投影型マルチディスプレイ装置を提供することができる。
【０１００】
（４）  上記複数のプロジェクタは１３台のプロジェクタであり、
上記第１のプロジェクタの画素サイズは、上記表示用スクリーン上で任意の正の数をｎとすると（２×４ｎ）×（２×３ｎ）と表され、
上記複数のプロジェクタのうち上記第１のプロジェクタを除く１２台のプロジェクタの画素サイズは、４ｎ×３ｎであることを特徴とする（３）に記載の投影型マルチディスプレイ装置。
【０１０１】
（対応する実施形態）
この（４）に記載の投影型マルチディスプレイ装置は、上記第１実施形態が対応する。その実施形態において、上記第１のプロジェクタは、ＱＸＧＡ型プロジェクタ１０１が対応し、上記複数のプロジェクタのうち上記第１のプロジェクタ以外の１２台のプロジェクタは、ＸＧＡ型プロジェクタ１０２−１〜１０２−１２が対応する。
【０１０２】
（作用効果）
この（４）に記載の投影型マルチディスプレイ装置によれば、単純な構成により、複数のプロジェクタによる投影像のつなぎ目を表示用スクリーン中心に配置させることなく、且つ規定の画像表示サイズフォーマットに対応した投影型マルチディスプレイ装置を提供することができる。
【０１０３】
（５）  上記合成映像は、上記複数のプロジェクタによる投影像が、表示用スクリーン上にて、互いにオーバーラップする投影領域を含む映像であることを特徴とする（２）に記載の投影型マルチディスプレイ装置。
【０１０４】
（対応する実施形態）
この（５）に記載の投影型マルチディスプレイ装置に関する実施形態は、上記第２実施形態乃至上記第４実施形態が対応する。それらの実施形態において、上記オーバーラップする領域は、オーバーラップ領域が対応する。
【０１０５】
（作用効果）
この（５）に記載の投影型マルチディスプレイ装置によれば、規定の画像表示サイズフォーマットに準拠した複数のプロジェクタによる投影像間にオーバーラップ領域を設けることで、上記合成映像も規定の画像表示サイズフォーマットに準拠させるための装置構成の自由度を高めることができ、且つ上記オーバーラップ領域の輝度等を制御することで、投影像間のつなぎ目の表示制御を行うことができ、より上記つなぎ目を目立たなくする投影型マルチディスプレイ装置を提供することができる。
【０１０６】
（６）  上記複数のプロジェクタは、その投影像の長手方向と、上記表示用スクリーン上の長手方向とが、所定角度を為すように設置されるプロジェクタを含むことを特徴とする（５）に記載の投影型マルチディスプレイ装置。
【０１０７】
（対応する実施形態）
この（６）に記載の投影型マルチディスプレイ装置に関する実施形態は、上記第２実施形態及び上記第４実施形態が対応する。第２実施形態において、“その投影像の長手方向と、上記表示用スクリーン上の長手方向とが、所定角度を為すように設置されるプロジェクタ”は例えばＱＸＧＡ型プロジェクタ２０１−１〜２０１−３が対応し、また上記第４実施形態においては例えばＸＧＡ型プロジェクタ（不図示）が対応する。
【０１０８】
（作用効果）
この（６）に記載の投影型マルチディスプレイ装置によれば、上記複数のプロジェクタのうちの一部のプロジェクタを、通常の設置状態に対して９０°回転させた状態で、すなわち縦型に設置することで、合成映像を規定の画像表示サイズフォーマットに準拠させる為の装置構成の自由度を高めた投影型マルチディスプレイ装置を提供することができる。
【０１０９】
（７）  上記所定角度は９０°であることを特徴とする（６）に記載の投影型マルチディスプレイ装置。
【０１１０】
（対応する実施形態）
この（７）に記載の投影型マルチディスプレイ装置に関する実施形態は、上記第２実施形態及び上記第４実施形態が対応する。第２実施形態において、“その投影像の長手方向と、上記表示用スクリーン上の長手方向とが、所定角度（９０°）を為すように設置されるプロジェクタ”は例えばＱＸＧＡ型プロジェクタ２０１−１〜２０１−３が対応し、また上記第４実施形態においては例えばＸＧＡ型プロジェクタ（不図示）が対応する。
【０１１１】
（作用効果）
この（７）に記載の投影型マルチディスプレイ装置によれば、上記複数のプロジェクタのうちの一部のプロジェクタを、通常の設置状態に対して９０°回転させた状態で、すなわち縦型に設置することで、合成映像を規定の画像表示サイズフォーマットに準拠させる為の装置構成の自由度を高めた投影型マルチディスプレイ装置を提供することができる。
【０１１２】
（８）上記複数のプロジェクタは１１台のプロジェクタであり、
上記複数のプロジェクタのうち上記第１のプロジェクタを含む３台のプロジェクタは、その画素サイズが、任意の正の数をｎとすると、上記表示用スクリーン上において３ｎ：４ｎである３ｎ×４ｎ画素サイズプロジェクタであり、
上記複数のプロジェクタのうち上記３ｎ×４ｎ画素サイズプロジェクタを除く８台のプロジェクタにおける画素サイズは、４ｎ×３ｎであることを特徴とする（７）に記載の投影型マルチディスプレイ装置。
【０１１３】
（対応する実施形態）
この（８）に記載の投影型マルチディスプレイ装置に関する実施形態は、上記第２実施形態が対応する。それら実施形態において、上記３ｎ×４ｎ画素サイズプロジェクタは例えばＱＸＧＡ型プロジェクタ２０１−１〜２０１−３が対応し、上記複数のプロジェクタのうち上記３ｎ×４ｎ画素サイズプロジェクタを除く８台のプロジェクタは例えばＸＧＡ型プロジェクタ２０２−１〜２０２−８が対応する。そして、この実施形態においては、上記ｎ＝２５６である。
【０１１４】
（作用効果）
この（８）に記載の投影型マルチディスプレイ装置によれば、画像表示サイズフォーマットの異なるプロジェクタを組み合わせることにより、規定の画像表示サイズフォーマットに準拠したプロジェクタを用いて、合成映像も規定の画像表示サイズフォーマットに準拠させる為の装置構成の自由度を高めた投影型マルチディスプレイ装置を提供することができる。
【０１１５】
（９）  上記複数のプロジェクタは、画像表示サイズフォーマットが互いに異なるプロジェクタを含むことを特徴とする（５）に記載の投影型マルチディスプレイ装置。
【０１１６】
（対応する実施形態）
この（９）に記載の投影型マルチディスプレイ装置は、上記第３実施形態及び第４実施形態が対応する。上記第３実施形態においては、画像表示サイズフォーマットが１６：９のプロジェクタはＨＤＴＶ型プロジェクタ（不図示）が対応し、画像表示サイズフォーマットが４：３のプロジェクタはＸＧＡ型プロジェクタ（不図示）が対応する。第４実施形態においては、画像表示サイズフォーマットが１６：９のプロジェクタはＨＤＴＶ型プロジェクタ（不図示）が対応し、画像表示サイズフォーマットが４：３のプロジェクタはＸＧＡ型プロジェクタ（不図示）及びＳＸＧＡ型プロジェクタ（不図示）が対応する。
【０１１７】
（（９）及び（１０）による作用効果）
この（９）に記載の投影型マルチディスプレイ装置によれば、画像表示サイズフォーマットの異なるプロジェクタを組み合わせることにより、規定の画像表示サイズフォーマットに準拠したプロジェクタを用いて、合成映像も規定の画像表示サイズフォーマットに準拠させる為の装置構成の自由度を高めた投影型マルチディスプレイ装置を提供することができる。
【０１１８】
（１０）  上記画像表示サイズフォーマットは、４：３及び１６：９であることを特徴とする（９）に記載の投影型マルチディスプレイ装置。
【０１１９】
（対応する実施形態）
この（１０）に記載の投影型マルチディスプレイ装置は、上記第３実施形態及び第４実施形態が対応する。上記第３実施形態においては、画像表示サイズフォーマットが１６：９のプロジェクタはＨＤＴＶ型プロジェクタ（不図示）が対応し、画像表示サイズフォーマットが４：３のプロジェクタはＸＧＡ型プロジェクタ（不図示）が対応する。第４実施形態においては、画像表示サイズフォーマットが１６：９のプロジェクタはＨＤＴＶ型プロジェクタ（不図示）が対応し、画像表示サイズフォーマットが４：３のプロジェクタはＸＧＡ型プロジェクタ（不図示）及びＳＸＧＡ型プロジェクタ（不図示）が対応する。
【０１２０】
（作用効果）
この（１０）に記載の投影型マルチディスプレイ装置によれば、画像表示サイズフォーマットの異なるプロジェクタを組み合わせることにより、規定の画像表示サイズフォーマットに準拠したプロジェクタを用いて、合成映像も規定の画像表示サイズフォーマットに準拠させる為の装置構成の自由度を高めた投影型マルチディスプレイ装置を提供することができる。
【０１２１】
（１１）  上記複数のプロジェクタは１１台であり、
上記第１のプロジェクタの画素サイズは、任意の正の数をｎとすると、上記表示用スクリーン上にて１６ｎ×９ｎであり、
上記第１のプロジェクタを除く１０台のプロジェクタの画素サイズは、４ｎ×３ｎであることを特徴とする（１０）に記載の投影型マルチディスプレイ装置。
【０１２２】
（対応する実施形態）
この（１１）に記載の投影型マルチディスプレイ装置は、上記第３実施形態が対応する。この実施形態において、上記第１のプロジェクタは例えばＨＤＴＶ型プロジェクタ（不図示）が対応し、上記複数のプロジェクタのうち上記第１のプロジェクタを除く１０台のプロジェクタはＸＧＡ型プロジェクタ（不図示）が対応する。そして、この実施形態では、上記ｎ＝２５６である。
【０１２３】
（作用効果）
この（１１）に記載の投影型マルチディスプレイ装置によれば、１台のＨＤＴＶ型プロジェクタと１０台の広く普及しているＸＧＡ型プロジェクタとを組み合わせることにより、合成映像を現在ワイド映像として普及しつつある画像表示サイズフォーマットが１６：９の高精細映像として表示でき、且つ複数のプロジェクタによる投影像のつなぎ目を表示用スクリーンの中心に配置させないことにより、上記つなぎ目を視覚的に目立たなくする投影型マルチディスプレイ装置を提供することができる。
【０１２４】
（１２）  上記複数のプロジェクタは、上記表示用スクリーン上における投影する領域によって、当該プロジェクタの投影像の解像度が互いに異なるプロジェクタを含むことを特徴とする（１）に記載の投影型マルチディスプレイ装置。
【０１２５】
（対応する実施形態）
この（１２）に記載の投影型マルチディスプレイ装置に関する実施形態は、上記第４実施形態が対応する。その実施形態において、上記第１のプロジェクタは例えばＳＸＧＡ型プロジェクタ（不図示）が対応し、３ｎ×４ｎ画素サイズプロジェクタは例えばＸＧＡ型プロジェクタ（不図示）が対応し、０≦α≦１である係数をαとすると、画素サイズが（α×１６ｎ）×（α×９ｎ）であるプロジェクタは例えばＨＤＴＶ型プロジェクタが対応する。なお、この実施形態では、上記ｎ＝２５６である。
【０１２６】
（作用効果）
この（１２）に記載の投影像マルチディスプレイ装置によれば、合成映像において視覚的に最も注目される頻度が高い中心部付近に比べて、該中心部付近の周辺の領域の解像度を相対的に低くすることで上記中心部付近の解像度を相対的に高め、且つ複数のプロジェクタによる投影像のつなぎ目を上記表示用スクリーンの中心部に配置させないことで、上記つなぎ目を視覚的に目立たなくした投影型マルチディスプレイ装置を提供することができる。なお、ＨＤＴＶ型プロジェクタによる投影像は拡大表示投影されることで、上記表示用スクリーン上では相対的に解像度が低くなる。
【０１２７】
（１３）  上記合成映像における中心領域以外の領域に対する映像投影を担当するプロジェクタの上記表示用スクリーン上での解像度は、上記第１のプロジェクタの上記表示用スクリーン上での解像度より低く設定されることを特徴とする（１２）に記載の投影型マルチディスプレイ装置。
【０１２８】
（対応する実施形態）
この（１３）に記載の投影型マルチディスプレイ装置に関する実施形態は、上記第４実施形態が対応する。その実施形態において、上記第１のプロジェクタは例えばＳＸＧＡ型プロジェクタ（不図示）が対応し、３ｎ×４ｎ画素サイズプロジェクタは例えばＸＧＡ型プロジェクタ（不図示）が対応し、画素サイズが（α×１６ｎ）×（α×９ｎ）であるプロジェクタは例えばＨＤＴＶ型プロジェクタが対応する。なお、この実施形態では、上記ｎ＝２５６である。
【０１２９】
（作用効果）
この（１３）に記載の投影像マルチディスプレイ装置によれば、合成映像において視覚的に最も注目される頻度が高い中心部付近に比べて、該中心部付近の周辺の領域の解像度を相対的に低くすることで上記中心部付近の解像度を相対的に高め、且つ複数のプロジェクタによる投影像のつなぎ目を上記表示用スクリーンの中心部に配置させないことで、上記つなぎ目を視覚的に目立たなくした投影型マルチディスプレイ装置を提供することができる。なお、ＨＤＴＶ型プロジェクタによる投影像は拡大表示投影されることで、上記表示用スクリーン上では相対的に解像度が低くなる。
【０１３０】
（１４）  上記複数のプロジェクタは９台であり、
上記第１のプロジェクタの画素サイズは、上記表示用スクリーン上にて、任意の正の数をｎとすると、４ｎ×３ｎであり、
上記複数のプロジェクタのうち上記第１のプロジェクタを除く４台のプロジェクタは、その画素サイズが３ｎ×４ｎである３ｎ×４ｎ画素サイズプロジェクタであり、且つ上記３ｎ×４ｎ画素サイズプロジェクタによる投影像は、上記第１のプロジェクタによる投影像の水平方向隣接部位に投影され、
上記複数のプロジェクタのうち上記第１のプロジェクタ及び上記３ｎ×４ｎ画素サイズプロジェクタを除く４台のプロジェクタの画素サイズは、０≦α≦１である係数をαとすると、（α×１６ｎ）×（α×９ｎ）であることを特徴とする（１３）に記載の投影型マルチディスプレイ装置。
【０１３１】
（対応する実施形態）
この（１４）に記載の投影型マルチディスプレイ装置に関する実施形態は、上記第４実施形態が対応する。その実施形態において、上記第１のプロジェクタは例えばＳＸＧＡ型プロジェクタ（不図示）が対応し、３ｎ×４ｎ画素サイズプロジェクタは例えばＸＧＡ型プロジェクタ（不図示）が対応し、画素サイズが（α×１６ｎ）×（α×９ｎ）であるプロジェクタは例えばＨＤＴＶ型プロジェクタが対応する。なお、この実施形態では、上記ｎ＝２５６である。
【０１３２】
（作用効果）
この（１４）に記載の投影像マルチディスプレイ装置によれば、合成映像において視覚的に最も注目される頻度が高い中心部付近に比べて、該中心部付近の周辺の領域の解像度を相対的に低くすることで上記中心部付近の解像度を相対的に高め、且つ複数のプロジェクタによる投影像のつなぎ目を上記表示用スクリーンの中心部に配置させないことで、上記つなぎ目を視覚的に目立たなくした投影型マルチディスプレイ装置を提供することができる。なお、ＨＤＴＶ型プロジェクタによる投影像は拡大表示投影されることで、上記表示用スクリーン上では相対的に解像度が低くなる。
【０１３３】
（１５）  複数の表示装置で表示する画像を組み合わせて１つの合成映像を構成する映像表示システムであって、
表示画素数を規定する画像表示サイズフォーマットが異なる複数の表示装置と、
上記複数の表示装置における上記画像表示サイズフォーマット、及び上記複数の表示装置の配置に応じて、上記表示装置に表示する表示画像情報を分割して上記複数の表示装置に出力するコントローラと、
を具備することを特徴とする映像表示システム。
【０１３４】
（対応する実施形態）
この（１５）に記載の映像表示システムに関する実施形態は、第１実施形態乃至第４実施形態が対応する。上記第１実施形態においては、上記表示装置は例えばＱＸＧＡ型プロジェクタ１０１，ＸＧＡ型プロジェクタ１０２−１〜１０２−１２が対応し、上記コントローラは例えばコントローラ１０４が対応する。上記第２実施形態においては、上記表示装置は例えばＱＸＧＡ型プロジェクタ２０１−１〜２０１−３，ＸＧＡ型プロジェクタ２０２−１〜２０２−８が対応し、上記コントローラは例えばコントローラ２０４が対応する。上記第３実施形態においては、上記表示装置は例えばＸＧＡ型プロジェクタ（不図示），ＨＤＴＶ型プロジェクタ（不図示）が対応し、上記コントローラは例えばコントローラ（不図示）が対応する。上記第４実施形態においては、上記表示装置は例えばＸＧＡ型プロジェクタ（不図示），ＨＤＴＶ型プロジェクタ（不図示），ＳＸＧＡ型プロジェクタ（不図示）が対応し、上記コントローラは例えばコントローラ（不図示）が対応する。
【０１３５】
（作用効果）
この（１５）に記載の映像表示システムによれば、表示画素数を規定する画像表示サイズフォーマットが異なる複数の表示装置を用いているため、複数の表示装置で表示する画像を組み合わせて一つの合成画像を表示する場合でも、画像の領域に応じて画像表示サイズフォーマットの異なる表示装置を配置することができる。
【０１３６】
（１６）  上記複数の表示装置は、
上記合成画像の中央部分に対応する画像を表示するための中央領域表示装置と、
上記中央領域表示装置と異なる画像表示サイズフォーマットを有する複数の周辺領域表示装置と、
を含むことを特徴とする（１５）に記載の映像表示システム。
【０１３７】
（対応する実施形態）
この（１６）に記載の映像表示システムに関する実施形態は、上記第１実施形態乃至上記第４実施形態が対応する。上記第１実施形態においては、上記中央領域表示装置は例えばＱＸＧＡ型プロジェクタ１０１、上記第２実施形態においてはＱＸＧＡ型プロジェクタ２０１−２、上記第３実施形態においてはＨＤＴＶ型プロジェクタ（不図示）、上記第４実施形態においてはＳＸＧＡ型プロジェクタ（不図示）が対応し、上記周辺領域表示装置は例えば、上記第１実施形態においてはＸＧＡ型プロジェクタ１０２−１〜１０２−１２、上記第２実施形態においてはＸＧＡ型プロジェクタ２０２−１〜２０２−８、上記第３実施形態においてはＸＧＡ型プロジェクタ（不図示）、上記第４実施形態においてはＨＤＴＶ型プロジェクタ（不図示）、及びＸＧＡ型プロジェクタ（不図示）が対応する。
【０１３８】
（作用効果）
この（１６）に記載の映像表示システムによれば、上記合成画像の中央部分に対応する中央領域表示装置を配置することで、複数の表示装置による合成映像のつなぎ目部分を視野の中央部から外すことができ、視覚的に目立たなくなる映像表示システムを提供することができる。
【０１３９】
（１７）  上記表示画像情報は、上記複数の表示装置のうちの何れかの表示装置の画像表示サイズフォーマットよりも画素数の多い画像表示サイズフォーマットによる映像の表示画像情報であることを特徴とする（１５）に記載の映像表示システム。
【０１４０】
（対応する実施形態）
この（１７）に記載の映像表示システムに関する実施形態は、第１実施形態乃至第４実施形態が対応する。
【０１４１】
（作用効果）
この（１７）に記載の映像表示システムによれば、表示画像情報を高精細ではあるが既定の画像表示サイズフォーマットとすることで、コントローラの処理を軽減できるとともに、複数の表示装置の組み合わせ、セッティングを容易にすることが可能な映像表示システムを提供することができる。
【０１４２】
（１８）  上記中央領域表示装置で表示する画像の画像表示サイズフォーマットは、上記周辺領域表示装置で表示する画像の画像表示サイズフォーマットよりも画素数の多い画像表示サイズフォーマットであることを特徴とする（１６）に記載の映像表示システム。
【０１４３】
（対応する実施形態）
この（１８）に記載の映像表示システムに関する実施形態は、第１実施形態乃至第４実施形態が対応する。
【０１４４】
（作用効果）
この（１８）に記載の映像表示システムによれば、周辺部に比べて注視する頻度の高い中央部の投影像の画像表示サイズフォーマットを、周辺部の投影像よりも画素数の多い画像表示サイズフォーマットとすることで、高品位な大画面表示と合成映像の境界部を視覚的に目立たなくすることが可能な映像表示システムを提供することができる。
【０１４５】
（１９）  上記中央領域投影表示装置は、上記周辺領域表示装置よりも、解像度の高い画像を表示する表示装置であることを特徴とする（１６）に記載の映像表示システム。
【０１４６】
（対応する実施形態）
この（１９）に記載の映像表示システムに関する実施形態は、第４実施形態が対応する。
【０１４７】
（作用効果）
この（１９）に記載の映像表示システムによれば、周辺部に比べて注視する頻度の高い中央部の投影画像を高精細とすることで、高品位な大画面表示が可能となる映像表示システムを提供することができる。
【０１４８】
（２０）  映像を表示する表示用スクリーンを備え、
上記表示装置は、上記表示用スクリーンに画像を投影するプロジェクタであることを特徴とする（１５）乃至（１９）のうちいずれか一つに記載の映像表示システム。
【０１４９】
（対応する実施形態）
この（２０）に記載の映像表示システムに関する実施形態は、例えば第１実施形態乃至第４実施形態が対応する。
【０１５０】
（作用効果）
この（２０）に記載の映像表示システムによれば、（１５）乃至（１９）に記載の映像表示システムと同様の効果が得られる映像表示システムを提供することができる。
【０１５１】
（２１）  上記複数のプロジェクタは、それぞれ担当する表示領域に応じて、正置状態または該正置状態から９０度だけ傾けられた状態に設置され、
上記コントローラは、上記設置の状態に基づいて、上記複数のプロジェクタがそれぞれ担当する表示領域毎に、上記表示画像情報の読み出し方向を制御することを特徴とする（２０）に記載の映像表示システム。
【０１５２】
（対応する実施形態）
この（２１）に記載の映像表示システムに関する実施形態は、第２実施形態が対応する。
【０１５３】
（作用効果）
この（２１）に記載の映像表示システムによれば、用意されたプロジェクタの数や画像表示サイズフォーマットが限られていても、各々のプロジェクタの設置角度を調整することで単純に並列に組み合わせた場合に比べてより多様な画像表示サイズフォーマットの表示画像情報に対応できる映像表示システムを提供することができる。
【０１５４】
（２２）  上記コントローラは、上記表示装置で表示する画像の上記画像表示サイズフォーマットに応じて、上記表示装置が担当する表示領域における上記表示画像情報のサンプリングレートを調整することを特徴とする（１５）に記載の映像表示システム。
【０１５５】
（対応する実施形態）
この（２２）に記載の映像表示システムに関する実施形態は、第３実施形態が対応する。
【０１５６】
（作用効果）
この（２２）に記載の映像表示システムによれば、用意されたプロジェクタの数や画像表示サイズフォーマットが限られていても、各々のプロジェクタが担当する表示領域のサンプリングレートを調整することで単純に組み合わせた場合に比べてより多様な画像表示サイズフォーマットの表示画像情報に対応できる映像表示システムを提供することができる。
【０１５７】
（２３）  上記複数のプロジェクタは、それぞれ上記表示用スクリーン上において担当する表示領域に合わせて、上記複数のプロジェクタの内の少なくとも一部が上記表示用スクリーン上にて投影像の一部が互いに重なるように設置され、
上記コントローラは、上記投影像の一部が互いに重なる表示領域に対応する表示画像情報の輝度を制御することを特徴とする（２０）に記載の映像表示システム。
【０１５８】
（対応する実施形態）
この（２３）に記載の映像表示システムに関する実施形態は、第２実施形態乃至第４実施形態が対応する。
【０１５９】
（作用効果）
この（２３）に記載の映像表示システムによれば、各表示装置により表示される画像のつなぎ目を目立たせなくすることができる。
【図面の簡単な説明】
【０１６０】
【図１】本発明の第１実施形態に係る映像表示システムの構成を示した図。
【図２】本発明の第２実施形態に係る映像表示システムの構成を示した図。
【図３】本発明の第３実施形態に係る映像表示システムによる投影像の構成を示した図。
【図４】本発明の第４実施形態に係る映像表示システムによる投影像の構成を示した図。
【符号の説明】
【０１６１】
１０１，２０１−１〜２０１−８…ＱＸＧＡ型プロジェクタ、  １０２−１〜１０２−１２，２０２−１〜２０２−８…ＸＧＡ型プロジェクタ、１０３，２０３，３０３，４０３…スクリーン、  １０４，２０４…コントローラ，  １０１ａ，１０２ａ，２０１ａ，２０２ａ，３０２ａ，３０４ａ，４０２ａ，４０４ａ，４０５ａ…投影像表示、  ２００ａ，２００ｂ，２００ｃ，３００ａ，４００ａ，４００ｂ，４００ｃ，４００ｄ，４００ｅ，４００ｆ…オーバーラップ表示領域。
【図１】
2007206356.tif 000003
【図２】
2007206356.tif 000004
【図３】
2007206356.tif 000005
【図４】
2007206356.tif 000006